【手続補正書】
【提出日】平成30年6月13日(2018.6.13)
【手続補正１】
【補正対象書類名】特許請求の範囲
【補正対象項目名】全文
【補正方法】変更
【補正の内容】
【特許請求の範囲】
【請求項１】
液体量を第１の液体容器から第２の液体容器に移送する方法であって、自動的に変位可能または枢動可能な移送アーム上に固定されるとともに、充填レベルセンサを有するピペット針が使用され；前記方法は、
ａ）ピペット針を第１の液体容器に収容された液体に浸漬し、充填レベルを測定する工程と；
ｂ）測定された充填レベルを、所定の最低充填レベルおよび所定の最高充填レベルと比較する工程と；
ｃ）測定された充填レベルが、
ｉ．所定の最高充填レベルを上回るか、または、
ｉｉ．所定の最高充填レベルを下回り、かつ所定の最低充填レベルを上回るか、または、
ｉｉｉ．所定の最低充填レベルを下回るかを決定する工程と、
ｄ）ピペット針を液体から引き込む工程とを含み、
測定された充填レベルが所定の最高充填レベルを上回るかまたは所定の最低充填レベルを下回ると決定された場合、液体量を吸入せずにピペット針が液体から引き込まれ、次いで、測定された充填レベルが所定の最高充填レベルを下回り、かつ所定の最低充填レベルを上回ると決定されるまで、工程ａ）〜ｄ）が繰り返され、次いで、ピペット針が引き込まれる前に、移送される液体量が吸入され、その後、第２の液体容器内に移送される、前記方法。
【請求項２】
工程ａ）〜ｄ）は、間を置かずに連続して、最大３回から１０回繰り返される、請求項１に記載の方法。
【請求項３】
工程ａ）〜ｄ）の最大繰返し回数を実行する際に、測定された充填レベルが所定の最高充填レベルを上回るか、または所定の最低充填レベルを下回ると決定された場合、ピペット針は液体量を吸入せずに液体から引き込まれ、ピペット針は、少なくとも５〜６００秒の期間が経過するまで液体に再び浸漬されない、請求項２に記載の方法。
【請求項４】
少なくとも５〜６００秒の期間が経過した後、ピペット針は、第１の液体容器に収容された液体に再び浸漬され；前記方法は：
ｅ）充填レベルを測定する工程と；
ｆ）測定された充填レベルを、所定の最低充填レベルおよび所定の最高充填レベルと比較する工程と；
ｇ）測定された充填レベルが、
ｉ．所定の最高充填レベルを上回るか、または、
ｉｉ．所定の最高充填レベルを下回り、かつ所定の最低充填レベルを上回るか、または、
ｉｉｉ．所定の最低充填レベルを下回るかを決定する工程と、
ｈ）ピペット針を液体から引き込む工程とをさらに含み、
測定された充填レベルが所定の最高充填レベルを上回るかまたは所定の最低充填レベルを下回ると決定された場合、液体量を吸入せずにピペット針が液体から引き込まれ、次いで、測定された充填レベルが所定の最高充填レベルを下回り、かつ所定の最低充填レベルを上回ると決定されるまで、工程ｅ）〜ｈ）が繰り返され、次いで、ピペット針が引き込まれる前に、移送される液体量が吸入され、その後、第２の液体容器内に移送される、
請求項３に記載の方法。
【請求項５】
ピペット針は、少なくとも５〜６００秒の期間の間に、洗浄ステーションに駆動され、該洗浄ステーションで洗浄され、次いで駆動されて第１の液体容器に戻される、請求項３に記載の方法。
【請求項６】
ピペット針は、少なくとも５〜６００秒の期間の間に、洗浄ステーションに駆動され、該洗浄ステーションで洗浄され、次いで第３の液体容器に駆動され、次いで該第３の液体容器に収容された液体に浸漬され、移送される液体量を吸入し、液体から引き込まれ、第４の液体容器に駆動され、移送される液体量を第４の液体容器の中に放出し、次いで再び洗浄ステーションに駆動され、該洗浄ステーションで洗浄され、次いで駆動されて第１の液体容器に戻される、請求項３に記載の方法。
【請求項７】
工程ａ）〜ｄ）の最大繰返しを実行する際に、測定された充填レベルが所定の最高充填レベルを上回るか、または所定の最低充填レベルを下回ると決定された場合、ピペット針は液体量を吸入せずに液体から引き込まれ、第１の液体容器は液体のさらなる取出しから除外される、請求項２に記載の方法。
【請求項８】
第１の液体容器は試料液または試薬液を収容し、第２の液体容器は反応容器または測定セルである、請求項１に記載の方法。
【請求項９】
自動的に変位可能または枢動可能な移送アーム上に固定されるとともに、充填レベルセンサを有する少なくとも１つのピペット針と、液体容器を受け入れる複数の受入れ位置と、液体量を第１の液体容器から第２の液体容器に移送する方法を制御するように構成されたコントローラと含む、自動分析装置であって、方法は：
ａ）ピペット針を第１の液体容器に収容された液体に浸漬し、充填レベルを測定する工程と；
ｂ）測定された充填レベルを、所定の最低充填レベルおよび所定の最高充填レベルと比較する工程と；
ｃ）測定された充填レベルが、
ｉ．所定の最高充填レベルを上回るか、または、
ｉｉ．所定の最高充填レベルを下回り、かつ所定の最低充填レベルを上回るか、または、
ｉｉｉ．所定の最低充填レベルを下回るかを決定する工程と、
ｄ）ピペット針を液体から引き込む工程とを含み、
コントローラはさらに、
測定された充填レベルが所定の最高充填レベルを上回るかまたは所定の最低充填レベルを下回ると決定された場合、液体量を吸入せずにピペット針が液体から引き込まれ、次いで、測定された充填レベルが所定の最高充填レベルを下回り、かつ所定の最低充填レベルを上回ると決定されるまで、工程ａ）〜ｄ）が繰り返され、次いで、ピペット針が引き込まれる前に、移送される液体量が吸入され、その後、第２の液体容器内に移送されるように構成された、前記装置。
【請求項１０】
コントローラは、工程ａ）〜ｄ）を、間を置かずに連続して、最大３回から１０回繰り返すようにさらに構成された、請求項９に記載の自動分析装置。
【請求項１１】
コントローラは、工程ａ）〜ｄ）の最大繰返しを実行する際に、測定された充填レベルが所定の最高充填レベルを上回るか、または所定の最低充填レベルを下回ると決定された場合、ピペット針が液体量を吸入せずに液体から引き込まれ、少なくとも５〜６００秒の期間が経過するまでピペット針が液体に再び浸漬されないようにさらに構成された、請求項１０に記載の自動分析装置。
【請求項１２】
コントローラは、少なくとも５〜６００秒の期間が経過した後、ピペット針が第１の液体容器に収容された液体に再び浸漬されるようにさらに構成され、液体量を第１の液体容器から第２の液体容器に移送する方法が：
ｅ）充填レベルを測定する工程と；
ｆ）測定された充填レベルを、所定の最低充填レベルおよび所定の最高充填レベルと比較する工程と；
ｇ）測定された充填レベルが、
ｉ．所定の最高充填レベルを上回るか、または、
ｉｉ．所定の最高充填レベルを下回り、かつ所定の最低充填レベルを上回るか、または、
ｉｉｉ．所定の最低充填レベルを下回るかを決定する工程と、
ｈ）ピペット針を液体から引き込む工程とをさらに含み、
コントローラは、測定された充填レベルが所定の最高充填レベルを上回るかまたは所定の最低充填レベルを下回ると決定された場合、液体量を吸入せずにピペット針が液体から引き込まれ、次いで、測定された充填レベルが所定の最高充填レベルを下回り、かつ所定の最低充填レベルを上回ると決定されるまで、工程ｅ）〜ｈ）が繰り返され、次いで、ピペット針が引き込まれる前に、移送される液体量が吸入され、その後、第２の液体容器内に移送されるようにさらに構成された、請求項１１に記載の自動分析装置。
【請求項１３】
ピペット針用の少なくとも１つの洗浄ステーションをさらに含み、ここで、コントローラは、少なくとも５〜６００秒の期間の間に、ピペット針が洗浄ステーションに駆動され、該洗浄ステーションで洗浄され、次いで駆動されて第１の液体容器に戻されるようにさらに構成された、請求項１１に記載の自動分析装置。
【請求項１４】
ピペット針用の少なくとも１つの洗浄ステーションをさらに含み、ここで、コントローラは、少なくとも５〜６００秒の期間の間に、ピペット針が洗浄ステーションに駆動され、該洗浄ステーションで洗浄され、次いで第３の液体容器に駆動され、次いで該第３の液体容器に収容された液体に浸漬され、移送される液体量を吸入し、液体から引き込まれ、第４の液体容器に駆動され、移送される液体量を第４の液体容器の中に放出し、次いで再び洗浄ステーションに駆動され、該洗浄ステーションで洗浄され、次いで駆動されて第１の液体容器に戻されるようにさらに構成された、請求項１１に記載の自動分析装置。
【請求項１５】
コントローラは、工程ａ）〜ｄ）の最大繰返しを実行する際に、測定された充填レベルが所定の最高充填レベルを上回るか、または所定の最低充填レベルを下回ると決定された場合、ピペット針が液体量を吸入せずに液体から引き込まれ、第１の液体容器が液体のさらなる取出しから除外されるようにさらに構成された、請求項１０に記載の自動分析装置。
【請求項１６】
ピペット針は容量性の充填レベルセンサを有する、請求項９に記載の自動分析装置。